Podtech/llm-jp-corpus-v4-ja_patent huggingface dataset:
【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
Ａ入力データとＢ入力データに対し、上記Ａ入力データを第１の非線形変換し、該第１の非線形変換された出力データと上記Ｂ入力データとの排他的論理和を第１のＢ中間データとして出力し、上記Ｂ入力データを第１のＡ中間データとして出力する第１の副変換処理部と、
上記第１のＡ中間データを第２の非線形変換し、該第２の非線形変換された出力データと上記第１のＢ中間データとの排他的論理和を第２のＢ中間データとして出力し、上記第１のＢ中間データを第２のＡ中間データとして出力する第２の副変換処理部と
を備えたことを特徴とするデータ変換装置。
【請求項２】
上記データ変換装置は、更に、
第２のＡ中間データに対して鍵パラメータを用いて論理演算を施すＡ中間データ演算回路と、
第２のＢ中間データに対して鍵パラメータを用いて論理演算を施すＢ中間データ演算回路と
を備えたことを特徴とする請求項１記載のデータ変換装置。
【請求項３】
上記データ変換装置は、更に、
上記第２のＡ中間データを第３の非線形変換することを特徴とする請求項２記載のデータ変換装置。
【請求項４】
複数段の非線形変換部から構成されているデータ変換装置であって、
Ｌビットの入力データをＭビットとＮビット（Ｍ＞Ｎ）に分割する回路と、Ｍビットデータを入力して非線形変換する第１の非線形変換回路と、第１の非線形変換回路の出力データとＮビットの入力データに“０”を付加して桁数をＭビットに揃えたデータとの排他的論理和を出力する第１の排他的論理和回路とを備え、Ｎビットデータを次段の第２段の非線形変換部において非線形変換されるＮビットの中間データとし、第１の排他的論理和回路から出力されるＭビットデータを次段の第２段の非線形変換部に入力されるＭビットの中間データとする第１段の非線形変換部と、
第１段の非線形変換部から出力されるＮビットの中間データを入力して非線形変換する第２の非線形変形回路と、第２の非線形変形回路の出力データと第１段の非線形変換部から出力されるＭビットの中間データを切り縮めてＮビットに揃えたデータとの排他的論理和を出力する第２の排他的論理和回路と、第２の排他的論理和回路の出力データとＮビットの鍵パラメータとの排他的論理和を出力する第３の排他的論理和回路と、第１段の非線形変換部からのＭビットの中間データとＭビットの鍵パラメータとの排他的論理和を出力する第４の排他的論理和回路とを備え、第４の排他的論理和回路から出力されるＭビットデータをＭビットの中間データとし、第３の排他的論理和回路から出力されるＮビットデータをＮビットの中間データとして出力する第２段の非線形変換部と
を備えたことを特徴とするデータ変換装置。
【請求項５】
上記データ変換装置は、さらに、
第２段の非線形変換部から出力されるＭビットの中間データを非線形変換する第３の非線形変換回路を備えた第３段の非線形変換部を備えたことを特徴とする請求項４記載のデータ変換装置。
【請求項６】
複数段の非線形変換部から構成されているデータ変換装置であって、
Ｎビットの中間データとＭビット（Ｍ＞Ｎ）の中間データとを出力する第１段の非線形変換部と、
第１段の非線形変換部から出力されるＮビットの中間データを入力して非線形変換する第２の非線形変形回路と、第２の非線形変形回路の出力データと第１段の非線形変換部から出力されるＭビットの中間データを切り縮めてＮビットに揃えたデータとの排他的論理和を出力する第２の排他的論理和回路と、第２の排他的論理和回路の出力データとＮビットの鍵パラメータとの排他的論理和を出力する第３の排他的論理和回路と、第１段の非線形変換部からのＭビットの中間データとＭビットの鍵パラメータとの排他的論理和を出力する第４の排他的論理和回路とを備え、第４の排他的論理和回路から出力されるＭビットデータをＭビットの中間データとし、第３の排他的論理和回路から出力されるＮビットデータをＮビットの中間データとして出力する第２段の非線形変換部と、
第２段の非線形変換部から出力されるＭビットの中間データを非線形変換する第３の非線形変換回路を備えた第３段の非線形変換部を備えたこと
を特徴とするデータ変換装置。
【請求項７】
上記第１段の非線形変換部は、
Ｌビットの入力データをＭビットとＮビットに分割する回路と、Ｍビットデータを入力して非線形変換する第１の非線形変換回路と、第１の非線形変換回路の出力データとＮビットの入力データに“０”を付加して桁数をＭビットに揃えたデータとの排他的論理和を出力する第１の排他的論理和回路とを備え、Ｎビットデータを次段の第２段の非線形変換部において非線形変換されるＮビットの中間データとし、第１の排他的論理和回路から出力されるＭビットデータを次段の第２段の非線形変換部に入力されるＭビットの中間データとすることを特徴とする請求項６記載のデータ変換装置。
【請求項８】
複数段の非線形変換部から構成されているデータ変換装置であって、
Ｌビットの入力データをＭビットとＮビット（Ｍ＞Ｎ）に分割する回路と、Ｍビットデータを入力して非線形変換する第１の非線形変換回路と、第１の非線形変換回路の出力データとＮビットの入力データに“０”を付加して桁数をＭビットに揃えたデータとの排他的論理和を出力する第１の排他的論理和回路とを備え、Ｎビットデータを次段の第２段の非線形変換部において非線形変換されるＮビットの中間データとし、第１の排他的論理和回路から出力されるＭビットデータを次段の第２段の非線形変換部に入力されるＭビットの中間データとする第１段の非線形変換部と、
第１段の非線形変換部から出力されるＮビットの中間データを入力して非線形変換する第２の非線形変形回路と、第２の非線形変形回路の出力データと第１段の非線形変換部から出力されるＭビットの中間データを切り縮めてＮビットに揃えたデータとの排他的論理和を出力する第２の排他的論理和回路と、第２の排他的論理和回路の出力データとＮビットの鍵パラメータとの排他的論理和を出力する第３の排他的論理和回路と、第１段の非線形変換部からのＭビットの中間データとＭビットの鍵パラメータとの排他的論理和を出力する第４の排他的論理和回路とを備え、第４の排他的論理和回路から出力されるＭビットデータをＭビットの中間データとし、第３の排他的論理和回路から出力されるＮビットデータをＮビットの中間データとして出力する第２段の非線形変換部と、
第２段の非線形変換部から出力されるＭビットの中間データを非線形変換する第３の非線形変換回路を備えた第３段の非線形変換部と
を備えたことを特徴とするデータ変換装置。
【手続補正書】
【提出日】平成16年9月22日(2004.9.22)
【手続補正１】
【補正対象書類名】明細書
【補正対象項目名】請求項１３
【補正方法】変更
【補正の内容】
【請求項１３】
前記制御手段は、前記施設および前記付設物のうち、所定の補修時期に達した物件および前記点検結果に異常が認知され、前記管理者により補修の許諾が得られた物件を補修を要する物件として設定するものである
ことを特徴とする請求項１１または請求項１２に記載の施設管理システム。
【手続補正２】
【補正対象書類名】明細書
【補正対象項目名】請求項１７
【補正方法】変更
【補正の内容】
【請求項１７】
前記第４の情報蓄積手段は、前記第２の情報蓄積手段に蓄積された情報に基づいて、前記施設および前記付設物の性能を設置工法、補修工法および設置状況を含む項目ごとに分別して蓄積するものである
ことを特徴とする請求項１６記載の施設管理システム。
【手続補正３】
【補正対象書類名】明細書
【補正対象項目名】０００６
【補正方法】変更
【補正の内容】
【０００６】
【課題を解決するための手段】
本発明の施設管理方法は、施設およびそれに付設される付設物に関する情報を管理するためのものであり、施設および付設物を管理する管理者から施設および付設物の補修を実施可能な複数の補修業者に対する補修依頼に関する情報を管理するステップ、施設および付設物に関する情報を管理するための施設管理サーバに施設および付設物の物件名、構造、仕様、点検結果および性能を含む情報を蓄積させる第１のステップと、施設管理サーバから管理者が情報を送受信するための管理者用端末に対して施設および付設物の点検結果を含む情報を送信する第２のステップと、施設管理サーバにおいて、点検結果に基づき、施設および付設物の中から補修を要する物件を設定する第３のステップと、管理者用端末から施設管理サーバに対して補修作業に関する管理者の要求内容を含む情報を送信すると共に、この情報を補修業者が情報を送受信するための補修業者用端末に対して閲覧可能にする第４のステップとを含み、施設管理サーバ、管理者用端末および補修業者用端末として、通信網を介して互いに通信可能なコンピュータを用いるようにしたものである。
【手続補正４】
【補正対象書類名】明細書
【補正対象項目名】００２１
【補正方法】変更
【補正の内容】
【００２１】
また、本発明の施設管理システムでは、制御手段が、施設および付設物のうち、所定の補修時期に達した物件および点検結果に異常が認知され、管理者により補修の許諾が得られた物件を補修を要する物件として設定するようにしてもよい。
【手続補正５】
【補正対象書類名】明細書
【補正対象項目名】００２４
【補正方法】変更
【補正の内容】
【００２４】
また、本発明の施設管理システムでは、さらに、施設および付設物の性能を含む情報を蓄積する第４の情報蓄積手段を含むようにしてもよい。このような場合には、第４の情報蓄積手段が、第２の情報蓄積手段に蓄積された情報に基づいて、施設および付設物の性能を設置工法、補修工法および設置状況を含む項目ごとに分別して蓄積するようにするのが好適である。
【手続補正６】
【補正対象書類名】明細書
【補正対象項目名】００５８
【補正方法】変更
【補正の内容】
【００５８】
さらに、施設等に関する各種情報を施設管理サーバ１０において一括管理することにより、管理者用端末２０を通じて施設等に関する複数の情報を施設管理サーバ１０から容易に入手することが可能となる。これにより、施設等を共同補修する場合において、竣工図や点検結果等の複数の情報を収集する際の負担を軽減させることができる。
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
面接する候補者を判定する方法において、
各個人に対して少なくとも１つの特徴を含むデータベースを作成する過程と、
前記特徴を正規化する過程（９０）と、
前記正規化された特徴に基づいて各個人に対する結果を表示する過程（１００）と、
少なくとも１人の面接する候補者を選出する過程（１２０）とから成る方法。
【請求項２】
前記データベースは、分析能力、自信、独創力、変化への適応力及び対人能力のうちの少なくとも１つを含み、前記方法は、前記データベースのための情報を収集する過程（４４）を更に含む請求項１記載の方法。
【請求項３】
前記特徴を正規化する前記過程（９０）は、
各特徴と関連する所定且つ所望の特質を取得する過程と、
各特徴と関連する前記所定且つ所望の特質を用いて各候補者の特徴を正規化する過程とを更に含む請求項１又は請求項２記載の方法。
【請求項４】
前記各個人の順位付けを行なう過程は、各候補者の前記正規化された特徴を合計する過程（９４）と、前記正規化された特徴の前記合計を合計最大量を表す所定値で割る過程（９８）とを更に含む請求項１ないし請求項３のいずれか一項記載の方法。
【請求項５】
面接する候補者を判定する選出システム（３０）において、
各候補者に対して少なくとも１つの特徴を含むデータベースと、
前記特徴を正規化し（９０）、前記正規化された特徴に基づいて各候補者に対する結果を表示する（１００）ようにプログラムされたプロセッサ（１２）とを具備する選出システム。
【請求項６】
前記データベースは、分析能力、自信、独創力、変化への適応力及び対人能力のうちの少なくとも１つを含む請求項５記載の選出システム（３０）。
【請求項７】
前記特徴を正規化する（９０）ために、前記プロセッサ（１２）は、各特徴と関連する所定且つ所望の特質を取得し、各特徴と関連する前記所望且つ既知の特質に合わせて各候補者の特徴を正規化するようにプログラムされる請求項５又は請求項６記載の選出システム（３０）。
【請求項８】
面接する候補者を選別する装置において、
メモリ（１４）を有し、且つ、各候補者に対して少なくとも１つの特徴を含むデータベースを作成し、前記特徴を正規化し（９０）、前記正規化された特徴に基づいて各候補者に対する結果を表示するようにプログラムされたプロセッサ（１２）を具備する装置。
【請求項９】
前記データベースは、分析能力、自信、独創力、変化への適応力及び対人能力のうちの少なくとも１つを含む請求項８記載の装置。
【請求項１０】
前記特徴を正規化する（９０）ために、前記プロセッサ（１２）は、各特徴と関連する所定且つ所望の特質を伴って更にプログラムされる請求項８又は請求項９記載の装置。
【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
主にコンピュータ上に適用し、電源起動ミーンズ、ラッチ回路、コントローラ、スイッチコントローラ、貯蔵器、監督制御器を含み、
該電源起動ミーンズは少なくとも一つの機能起動キーをコンピュータ上に装置し、起動信号を発生し、
該ラッチ回路は該機能起動キーに接続し、該起動信号の受信後、ラッチ信号を発生し、
該コントローラは該ラッチ回路に接続し、該ラッチ信号を受信後、走査信号を発生し、
該スイッチコントローラは該ラッチ回路と該電源起動ミーンズに接続し、受信した該ラッチ信号の該電源起動ミーンズへの伝送を制御し、
該貯蔵器は貯蔵機能を具え、
該監督制御器はコントローラが発する走査信号を監督制御し、該貯蔵器に書き入れることを特徴とする直接インターネットに接続可能な機能を具える装置。
【請求項２】
主にＣＰＵ、図案コントローラ、メインメモリ、ノースブリッジ、ＰＣＩバス、インターネット接続コントローラ、複数の周辺サポート部品、入出力コントローラ、サウスブリッジ、基本入出力システム、直接インターネット接続ドライバを含み、
該ＣＰＵはすべてのデータのオペレーションを制御し、
該図案コントローラは図案処理を行い、その文字、及び図像を表示し、
該メインメモリはデータの記録、読み取りを行い、
該ノースブリッジは該ＣＰＵに接続し、該図案コントローラ、及び該メインメモリは上記部品の作動を統合し、
該ＰＣＩバスは該ノースブリッジに接続し、該データの伝送を行い、
該インターネット接続コントローラは該ＰＣＩバスに接続し、インターネットへの接続を行い、
該複数の周辺サポート部品はユーザーの操作を補助し、
該入出力コントローラは該ユーザーが入出力する該データの受信を行い、
該サウスブリッジは該ＰＣＩバス、該複数の周辺サポート部品、及び該入出力コントローラに接続し、該複数の周辺サポート部品、及び該入出力コントローラの作動を統合し、
該基本入出力システムは該入出力コントローラに接続し、
該直接インターネット接続ドライバは該基本入出力システムに接続し、駆動プログラムを伝送し、
該直接インターネット接続ドライバは、前記機能起動キーの内の一つを使用し起動信号をラッチ回路に伝送し、ラッチ信号を発し、コントローラに送り、走査信号を発生し、コンピュータの電源が起動しているか否かを検査し、電源が未起動であれば、該走査信号を受信したスイッチコントローラは信号を発し、電源を起動し、走査信号を貯蔵し、続いて、該駆動プログラムを起動し、該走査信号を検査後、その機能性オペレーションを執行し、一方、電源が既に起動していれば、該走査信号は機能性オペレーションを執行することを特徴とする直接インターネットに接続可能な機能を具えるコンピュータ。
【請求項３】
前記ディスプレーは液晶ディスプレーであり、前記周辺サポート部品はフロッピーディスクドライブ、ＣＤ−ＲＯＭ、ハードディスクドライブ、電池、ＵＳＢハブを含むことを特徴とする請求項２記載の直接インターネットに接続可能な機能を具えるコンピュータ。
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
第１の記憶媒体を備えるローカル記憶システムおよび通信リンクによって前記ローカル記憶システムと結合され、第２の記憶媒体及び第３の記憶媒体を備えるリモート記憶システムを有する記憶システムにおけるデータの完全性を付与する方法であって、
前記通信リンクの遮断時に、
前記第１の記憶媒体に記憶されているが、前記第２の記憶媒体にまだ記憶されていないトランザクションの第１の記録を維持し、
前記第２の記憶媒体から前記第３の記憶媒体にデータをコピーし、
前記第３の記憶媒体にコピーされたデータの第２の記録を維持し、
前記通信リンクの回復時に、
いずれのトランザクションが前記リモート記憶システムに書込まれていないかを決定するためにトランザクションの前記第１の記録を使用し、
それらのトランザクションを前記リモート記憶システムに送信し、
前記リモート記憶システムにおいて、前記ローカル記憶システムから受信されたトランザクションを前記第２の記録と比較し、新しいトランザクションを前記第３の記憶媒体に書込むことを特徴とする方法。
【請求項２】
さらに、前記通信リンクの遮断時に、
前記ローカル記憶システムに送信される書込み要求を受信し、
データをキャッシュメモリに格納し、
データの記憶のために意図された位置に関する情報を前記リモート記憶システムに格納し、
いずれの要求が前記リモート記憶システムに受信され、いずれが受信されていないかの決定を可能にするために書込み要求の記録を維持することを特徴とする請求項１記載の方法。
【請求項３】
さらに、通信路の遮断時に、
前記少なくとも１個の第３の記憶媒体を前記第２の記憶媒体のうちの少なくとも１個と関係づけ、
前記第２の記憶媒体の対応するものからのデータを前記少なくとも１個の第３の記憶媒体に書込むことを特徴とする請求項２記載の方法。
【請求項４】
前記記録を維持するステップが、前記ローカル記憶システムにより受信されたデータのビットマップを維持することを含み、該ビットマップのビットは、前記リモート記憶システムによって受信されたデータと前記リモート記憶システムによって受信されていないデータとの間の相関関係を指示するものであることを特徴とする請求項１記載の方法。
【請求項５】
前記ビットマップ内容のビットが、前記リモート記憶システムへのデータの送信に応答してデータの受信の肯定応答が前記ローカル記憶システムにより受信されたかどうかに基づいて設定されることを特徴とする請求項４記載の方法。
【請求項６】
ローカル記憶システムおよび前記ローカル記憶システムと通信リンクによって接続され、記憶媒体を備えるリモート記憶システムを有する記憶システムにおいてデータを回復する方法であって、
書込みデータのリストから、所要の書込み順序を有する書込みデータを選択し、
テーブルのビットがオンであるデータを選択し、
選択されたデータを前記記憶媒体に書込み、
前記ビットをオフにし、
選択された書込みデータを前記書込みデータのリストから削除することを特徴とする方法。
【請求項７】
さらに、前記テーブルのビットがオンであるデータを選択するステップが前記テーブルを確認することによって実行され、前記ビットがオフである場合、前記選択された書込みデータを前記書込みデータのリストから削除することを特徴とする請求項６記載の方法。
【請求項８】
ローカル記憶システムおよび前記ローカル記憶システムと通信リンクによって接続され、記憶媒体を備えるリモート記憶システムを有する記憶システムにおいてデータを回復する方法であって、
書込みデータのリストから、所要の書込み順序を有する書込みデータを選択することと、
テーブルのビットがオンであるデータを選択し、
選択された前記データを前記記憶媒体に書込み、
ビットをオフにし、
前記選択された書込みデータを前記書込みデータのリストから削除することを特徴とする方法。
【請求項９】
ローカルデータ記憶媒体を備えるローカル記憶システムならびに、前記ローカル記憶システムと通信リンクによって接続され、リモートデータ記憶媒体およびリモート記憶装置に少なくとも１個の第２のリモートデータ記憶媒体を備えるリモート記憶システムを有する記憶システムにおいてデータの完全性を付与する方法であって、
前記通信リンクが故障している場合に、
前記少なくとも１個の第２のリモートデータ記憶媒体を前記リモートデータ記憶媒体のうちの少なくとも１個と関係づけ、
いずれのデータが前記ローカル記憶システムに格納されたかに関する前記リモート記憶システム内の情報を使用し、前記リモート記憶システムに書込まれていないデータを識別し、
識別されたデータを前記少なくとも１個の第２のリモートデータ記憶媒体に書込み、
前記少なくとも１個の第２のリモートデータ記憶媒体からの肯定応答に際して前記ローカル記憶システムの情報をリセットし、
前記リモート記憶システムに書込まれていない全部のデータが前記少なくとも１個の第２のリモートデータ記憶媒体に書込まれるまで、上記ステップを繰り返すこととを特徴とする方法。
【請求項１０】
前記リモートデータ記憶媒体のうちの少なくとも１個が関係づけられた前記少なくとも１個の第２のリモートデータ記憶媒体を消去するステップをさらに有することを特徴とする請求項８記載の方法。
【請求項１１】
記憶システムであって、
第１のデータ記憶媒体を備えるローカル記憶システムと、
前記ローカル記憶装置と通信路によって接続され、第２のデータ記憶媒体を備えるリモート記憶システムとを有し、
前記リモート記憶システムはさらに、少なくとも１個の第３のデータ記憶媒体を有し、前記第３のデータ記憶媒体は、通信路の遮断の場合にデータのコピーを前記第２のデータ記憶媒体の一部に維持するために使用されることを特徴とする記憶システム。
【請求項１２】
前記第３のデータ記憶媒体の数が前記第２のデータ記憶媒体の数と一致することを特徴とする請求項１１記載の記憶システム。
【請求項１３】
前記第３のデータ記憶媒体の各々および前記第２のデータ記憶媒体の各々がハードディスク駆動装置であることを特徴とする請求項１２記載の記憶システム。
【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】
デジタルデータを検索するデータ検索装置であって、
インターネットを介してコンテンツ情報を収集する収集部と、
収集したコンテンツ情報を、ハッシュ関数を用いて該コンテンツの特徴を示すハッシュ値に変換する変換部と、
該コンテンツのハッシュ値と該コンテンツのアドレスと該コンテンツに含まれるキーワードとを対応付けて記憶する記憶部と、
入力されたコンテンツのキーワードから該記憶部を検索して、該当するコンテンツのアドレスとハッシュ値を抽出し、さらに該抽出したハッシュ値から前記記憶部を検索して、該ハッシュ値と同一のハッシュ値のアドレスを抽出する検索処理部と、
該検索処理部で抽出したコンテンツのアドレスを出力する出力部と、
を備えたことを特徴とするデータ検索装置。
【請求項２】
前記ハッシュ値の対象となるのは、コンテンツの一部であることを特徴とする請求項１記載のデータ検索装置。
【請求項３】
デジタルデータを検索するデータ検索方法であって、
インターネットを介してコンテンツ情報を収集し、
収集したコンテンツ情報を、ハッシュ関数を用いて該コンテンツの特徴を示すハッシュ値に変換する変換し、
該コンテンツのハッシュ値と該コンテンツのアドレスと該コンテンツに含まれるキーワードとを対応付けて記憶する記憶し、
入力されたコンテンツのキーワードから該記憶部を検索して、該当するコンテンツのアドレスとハッシュ値を抽出し、さらに該抽出したハッシュ値から前記記憶部を検索して、該ハッシュ値と同一のハッシュ値のアドレスを抽出し、
該検索処理部で抽出したコンテンツのアドレスを出力する、
ことを特徴とするデータ検索方法。
前記ハッシュ値の対象となるのは、コンテンツの一部であることを特徴とする請求項１記載のデータ検索装置。
【請求項４】
前記ハッシュ値の対象となるのは、コンテンツの一部であることを特徴とする請求項３記載のデータ検索装置。
【請求項５】
デジタルデータを検索する機能を実現させるプログラムを記憶したコンピュータ読み取り可能な記録媒体であって、
インターネットを介してコンテンツ情報を収集する機能と、
収集したコンテンツ情報を、ハッシュ関数を用いて該コンテンツの特徴を示すハッシュ値に変換する機能と、
該コンテンツのハッシュ値と該コンテンツのアドレスと該コンテンツに含まれるキーワードとを対応付けて記憶部に記憶する機能と、
入力されたコンテンツのキーワードから該記憶部を検索して、該当するコンテンツのアドレスとハッシュ値を抽出し、さらに該抽出したハッシュ値から前記記憶部を検索して、該ハッシュ値と同一のハッシュ値のアドレスを抽出する機能と、
該検索処理部で抽出したコンテンツのアドレスを出力する機能を実現させるためのプログラムを記録したコンピュータ読み取り可能な記録媒体。
【請求項６】
前記ハッシュ値の対象となるのは、コンテンツの一部であることを特徴とする請求項５記載のデータ検索装置。
【手続補正２】
【補正対象書類名】明細書
【補正対象項目名】００１０
【補正方法】変更
【補正の内容】
【００１０】
本発明は、デジタルデータを検索するデータ検索装置であって、インターネットを介してコンテンツ情報を収集する収集部と、収集したコンテンツ情報を、ハッシュ関数を用いて該コンテンツの特徴を示すハッシュ値に変換する変換部と、該コンテンツのハッシュ値と該コンテンツのアドレスと該コンテンツに含まれるキーワードとを対応付けて記憶する記憶部と、入力されたコンテンツのキーワードから該記憶部を検索して、該当するコンテンツのアドレスとハッシュ値を抽出し、さらに該抽出したハッシュ値から前記記憶部を検索して、該ハッシュ値と同一のハッシュ値のアドレスを抽出する検索処理部と、該検索処理部で抽出したコンテンツのアドレスを出力する出力部とを備えたことを特徴としている。
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
加速度センサーと、ディスプレイと、情報コンテンツを格納するコンテンツ記憶部と、情報コンテンツを表すアイコンをディスプレイに表示するアイコン表示部と、アイコンの動きを加速度センサーから得られる情報により制御するアイコン制御部と、情報コンテンツをディスプレイに表示するコンテンツ表示部と、加速度センサーから得られる情報によりコンテンツ表示を制御するコンテンツ制御部とを備え、
前記アイコン表示部は、前記加速度センサーから得られる加速度情報を端末の傾斜角度に変換し、該傾斜角度または加速度情報に基づいて前記アイコン表示部におけるアイコンの動きを制御し、
端末を水平に保持したときに、ディスプレイの略中央に表示されるアイコンのサイズを漸次拡大して表示させ、
前記コンテンツ表示部は、一定以上のサイズになったときに該アイコンをセレクトすることを特徴とする情報検索端末。
【請求項２】
請求項１記載の情報端末装置であって、前記アイコン制御部は、より大きく表示するアイコンほど早く移動するように前記アイコン表示部を制御することを特徴とする情報検索端末。
【請求項３】
端末を急激に動かしたときに得られる加速度センサーからの情報のパターンにより、機能を実行するコマンドとして用いることを特徴とする請求項１記載の情報検索端末。
【請求項４】
加速度センサーと、ディスプレイと、情報コンテンツを格納するコンテンツ記憶部と、情報コンテンツを出力するコンテンツ出力部と、該コンテンツの出力を加速度センサーから得られる情報により制御するコンテンツ制御部とを備え、
前記コンテンツ制御部は、前記加速度センサーから得られる加速度情報を端末の傾斜角度に変換し、該傾斜角度よりコンテンツ表示を制御することを特徴とする情報検索端末。
【請求項５】
端末を急激に動かしたときに得られる加速度センサーから得られる情報のパターンにより、コンテンツの閲覧を中断するコンテンツ制御部を備えることを特徴とする請求項４記載の情報検索端末。
【請求項６】
端末の傾斜角度から、静止画の表示領域を制御するコンテンツ制御部を備えることを特徴とする請求項４記載の情報検索端末。
【請求項７】
端末の傾斜角度から、静止画の拡大率を制御するコンテンツ制御部をそなえることを特徴とする請求項４記載の情報検索端末。
【請求項８】
端末の傾斜角度から、テキストの表示領域を制御するコンテンツ制御部を備えることを特徴とする請求項４記載の情報検索端末。
【請求項９】
端末を急激に動かしたときに得られる加速度センサーからの情報のパターンにより、順次画像をディスプレイに表示するコンテンツ表示部を備えることを特徴とする請求項４記載の情報検索端末。
【請求項１０】
端末を急激に動かしたときに得られる加速度センサーからの情報のパターンにより、早送りおよび巻き戻しを行い、音楽または動画を再生するコンテンツ出力部を備えることを特徴とする請求項４記載の情報検索端末。
【請求項１１】
端末を急激に動かしたときに得られる加速度センサーからの情報のパターンにより、順次再生する音楽または動画を変更し、音楽または動画を再生するコンテンツ出力部を備えることを特徴とする請求項４記載の情報検索端末。
【請求項１２】
端末を急激に動かしたときに得られる加速度センサーからの情報のパターンにより、音量を増減して音楽を再生するコンテンツ表示部を備えることを特徴とする請求項４記載の情報検索端末。
【請求項１３】
端末の傾斜角度から、３次元形状データを描画する時の視点情報を設定し、３次元形状データをディスプレイに表示するコンテンツ出力部を備えることを特徴とする請求項４記載の情報検索端末。
【請求項１４】
ハイパーテキストをディスプレイに表示し、該ハイパーテキスト内に設定されているリンク領域のうち１つを強調して表示し、端末の傾斜角度から順次強調するリンク領域を変更し、端末を急激に動かしたときは該リンク領域の指し示す別のハイパーテキストを表示するコンテンツ表示部を備えることを特徴とする請求項４記載の情報検索端末。
【請求項１５】
外部と接続するための端子または通信手段を備え、外部の情報源からコンテンツ記憶部にコンテンツ情報を有線または無線で転送することを特徴とする請求項１または４記載の情報検索端末。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
発光デバイスと組み合わせたスマート・ドライバであって、
第１および第２端子を有する発光デバイス（４３）ならびに関連抵抗（４４）と、
前記関連抵抗（４４）を含むアドレス指定された回路（４０）を形成するため、前記発光デバイス（４３）の前記第１端子に結合されたカラム・ドライバ（４２）と、前記発光デバイス（４３）の前記第２端子に結合されたロウ・ドライバ（４５）と、
前記カラム・ドライバ（４２）に結合された第１電力端子と、前記ロウ・ドライバ（４５）に結合された第２電力端子と、制御端子（４８’）に供給される制御信号に応答して前記第１電力端子と前記第２電力端子との間に印加される電力を制御すべく接続された前記制御端子（４８’）とを有する制御可能な電源（４７’）と、を備え、
前記発光デバイス（４３）および前記関連抵抗（４４）が、前記カラム・ドライバ（４２）および前記ロウ・ドライバ（４５）と共にアドレス指定された回路（４０）を形成し、
前記アドレス指定された回路（４０）を前記制御可能な電源（４７’）の前記制御端子（４８’）に結合し、かつ固有の制御信号を前記電源（４７’）の前記制御端子（４８’）に供給し、それにより固有の量の電力を前記アドレス指定された回路（４０）に印加する制御回路（４９’）を更に備える、発光デバイスと組み合わせたスマート・ドライバ。
【請求項２】
前記発光デバイス（４３）が有機発光デバイスを含む請求項１記載の発光デバイスと組み合わせたスマート・ドライバ。
【請求項３】
発光デバイスのアレイと組み合わせたスマート・ドライバであって、
ピクセル（４３）のカラム（１４）およびロウ（１３）のアレイ（１０）に配列された複数の発光デバイス（４３）であって、各ピクセル（４３）が関連抵抗（４４）および電流要件を有する、複数の発光デバイス（４３）と、
ピクセル（４３）のカラム（１４）およびロウ（１３）にそれぞれ結合された複数のカラム・ドライバ（２７，４２）および複数のロウ・ドライバ（２５，４５）と、
前記複数のカラム・ドライバ（２７，４２）のそれぞれに結合された第１電力端子と、前記複数のロウ・ドライバ（２５，４５）のそれぞれに結合された第２電力端子と、制御端子（４８’）に供給される制御信号に応答して前記第１電力端子と前記第２電力端子との間に印加される電力を制御すべく接続された前記制御端子（４８’）とを有する制御可能な電源（４７’）と、を備え、
各ピクセル（４３）および前記関連抵抗（４４）が、それらに結合されたカラム・ドライバ（４２）およびロウ・ドライバ（４５）の固有の組み合わせと共にアドレス指定された回路（４０）を形成し、
各アドレス指定された回路（４０）を前記制御可能な電源（４７’）の前記制御端子に結合し、かつ各アドレス指定された回路について、固有の制御信号を前記制御可能な電源（４７’）の前記制御端子（４８’）に供給し、それにより固有の量の電力を各アドレス指定された回路（４０）に印加する制御回路（４９’）を更に備える、発光デバイスのアレイと組み合わせたスマート・ドライバ。
【請求項４】
ピクセル（４３）のカラム（１４）およびロウ（１３）のアレイ（１０）に配列された前記複数の発光デバイス（４３）が光透過基板（１７）を含み、
ピクセル（４３）の前記カラム（１４）が、前記基板（１７）上に形成された光伝導性の透明な材料（１８）のストリップ、および前記光伝導性の透明な材料（１８）上に形成された前記複数の発光デバイス（４３）により形成され、そのため前記光伝導性の透明な材料（１８）が、前記複数の発光デバイス（４３）のそれぞれの第１端子を形成し、それにより前記光伝導性の透明な材料（１８）のストリップが、各ピクセル（４３）の前記関連抵抗（４４）の実質的な部分を形成する
請求項３記載の発光デバイスのアレイと組み合わせたスマート・ドライバ。
【請求項５】
発光デバイスのアレイに電力を供給する方法であって、
ピクセル（４３）のカラム（１４）およびロウ（１３）のアレイ（１０）に配列された複数の発光デバイス（４３）を設けるステップであって、各ピクセルが関連抵抗（４４）および電流要件を有する、前記複数の発光デバイス（４３）を設けるステップと、
ピクセル（４３）の前記カラム（１４）およびロウ（１３）にぞれぞれ結合された複数（２７）のカラム・ドライバ（４２）および複数（２５）のロウ・ドライバ（４５）を設けるステップと、
特定のピクセル（４３）および前記関連抵抗（４４）を選択し、かつ前記の選択されたピクセル（４３）に結合された固有のカラム・ドライバ（４２）および固有のロウ・ドライバ（４５）と共にアドレス指定された回路（４０）を形成するステップと、
前記固有のカラム・ドライバ（４２）に結合された第１電力端子と、前記固有のロウ・ドライバ（４５）に結合された第２電力端子と、制御端子（４８’）に供給される制御信号に応答して前記第１電力端子と前記第２電力端子との間に印加される電力を制御すべく接続された前記制御端子（４８’）とを有する制御可能な電源（４７’）を設けるステップと、
前記制御可能な電源（４７’）を制御して、固有の制御信号を前記電源（４７’）の前記制御端子（４８’）に供給し、それにより固有の量の電力を前記アドレス指定された回路（４０）に印加するステップと
を備える方法。
【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
第１のバス及び第２のバスに接続されたブリッジ回路において、
第１のバスに接続され、該第１のバスから複数のトランザクションを受け取るバス・インターフェースであって、各トランザクションが、第２のバスをターゲットとするアドレス、データ、トランザクション・サイズを規定するデータ長を有している、バス・インターフェースと、
少なくとも２つの独立した第１及び第２のトランザクション・バッファであって、各々が、バッファ・サイズを有しかつ複数のトランザクションの１つを記憶するよう構成された、第１及び第２のトランザクション・バッファと、
複数のトランザクションの内の第１のトランザクションのトランザクション・サイズが、第１のトランザクション・バッファのバッファ・サイズよりも大きい場合に、第１のトランザクション・バッファに第１のトランザクションの第１の部分を記憶し、第２のトランザクション・バッファに該第１のトランザクションの第２の部分を記憶するように制御する制御手段と
を備えていることを特徴とするブリッジ回路。
【請求項２】
請求項１記載のブリッジ回路において、制御手段はさらに、複数のトランザクションの内の第２のトランザクションのトランザクション・サイズが、第２のトランザクション・バッファのバッファ・サイズよりも小さい場合に、第２のトランザクション・バッファに第２のトランザクションを記憶するように制御することを特徴とするブリッジ回路。
【請求項３】
請求項２記載のブリッジ回路において、第１のトランザクションに関するアドレス及び第２のトランザクションに関するアドレスは、連続していないことを特徴とするブリッジ回路。
【手続補正書】
【提出日】平成16年2月3日(2004.2.3)
【手続補正１】
【補正対象書類名】明細書
【補正対象項目名】特許請求の範囲
【補正方法】変更
【補正の内容】
【特許請求の範囲】
【請求項１】
フォント・データを記憶するためにプリンタ内のメモリを適応的に割り振る方法であって、前記プリンタが、ホスト・プロセッサに接続され、前記ホスト・プロセッサが、
ａ）キャッシュ・メモリの最初の部分をフォント・データの記憶のために割り振るように前記プリンタを制御するステップと、
ｂ）プリンタへ送信すべき現データ・セグメントを分析し、前記現データ・セグメントが印刷すべきフォント文字を示すか、それともグラフィックス・データを示すか、それともラスタ・データを示すかを判定するステップと、
ｃ）前記現データ・セグメントがフォント文字を示すことが判明した場合、前記プリンタが対応するフォント文字データを含むかどうかを判定し、前記プリンタに、前記現データ・セグメントによって示された前記フォント文字を記憶するのに十分なキャッシュ・メモリが残っていない場合、前記現データ・セグメントによって示された前記フォント文字データを記憶するための追加メモリ部分を割り振るよう前記プリンタに命令するステップと、
ｄ）さらに、グラフィックス関連データまたはラスタ画像データがプリンタへ送信されると判定された場合、フォント文字データを記憶するために割り振られた前記メモリの部分を再割り振りするよう前記プリンタに命令するステップとを含む、方法。
【請求項２】
前記ホスト・プロセッサが、ステップａ）でさらに、前記プリンタによる前記キャッシュ・メモリの割り振りを追跡する、請求項１に記載の方法。
【請求項３】
ステップｄ）によって、前記プリンタが、フォント・データを記憶するために割り振られたキャッシュ・メモリを低減させ、前記キャッシュ・メモリの一部を前記グラフィックス関連データまたはラスタ画像データ用に使用できるようにする、請求項１に記載の方法。
【請求項４】
ｅ）フォント・メモリから得たデータを、前記現データ・セグメントによって示されたフォント文字データのラスタ構成画像に変換するステップと、
ｆ）前記ラスタ構成画像を前記プリンタへ送信し、ステップｃ）によって前記ラスタ構成画像を記憶するために割り振られたキャッシュ・メモリの部分に記憶できるようにするステップとを含む、請求項１に記載の方法。
【請求項５】
フォント文字データを記憶できるようにするためにプリンタ内のメモリを適応的に割り振るシステムであって、ランダム・アクセス・メモリと、前記ランダム・アクセス・メモリ内の記憶域の割り振りを可能にする処理装置とを含むプリンタと、前記プリンタに接続され、媒体シート上にレンダリングするために前記プリンタへ送信すべき文書を示す符号セグメント格納するためのランダム・アクセス・メモリを含むホスト・プロセッサと、フォント文字メモリと、前記フォント文字メモリから得たフォント文字をラスタ構成文字データセットに変換するグラフィックス・インタフェースと、前記プリンタへデータを送信するプリンタ・ドライバ手段とを備え、前記プリンタ・ドライバ手段が、前記文書を含む前記ランダム・アクセス・メモリから得たデータ・セグメントを分析し、前記受信されたデータ・セグメントの判定されたデータ・セグメントに応じて前記ランダム・アクセス・メモリの割り振りを変更するためのコマンドを前記プリンタに発行する手段とを含む、システム。
【請求項６】
データ・セグメントを分析する前記手段がさらに、前記プリンタによる前記ランダム・アクセス・メモリの割り振りを追跡する、請求項５に記載のシステム。
【請求項７】
現データ・セグメントが、グラフィックス関連データまたはラスタ・データを示すと判定された場合、前記プリンタ・ドライバ手段が、前記プリンタに、フォント・データを記憶するために割り振られたランダム・アクセス・メモリを低減させ、前記ランダム・アクセス・メモリの一部を必要に応じて前記グラフィックス関連データまたはラスタ画像データ用に使用できるようにさせる、請求項５に記載のシステム。
【請求項８】
前記プリンタ・ドライバ手段が、フォント文字メモリから得たデータを、前記現データ・セグメントによって示されたフォント文字データのラスタ構成画像に変換し、前記ラスタ構成画像を前記プリンタへ送信し、前記ラスタ構成画像を記憶するために割り振られたランダム・アクセス・メモリの部分に記憶できるようにする、請求項５に記載のシステム。
【請求項９】
前記ホスト・プロセッサおよびプリンタ・ドライバ手段が、媒体テキストのページの処理時に、前記ランダム・アクセス・メモリの再割り振りが必要であるかどうかを連続的に判定するように動作する、請求項１に記載のシステム。
【手続補正書】
【提出日】平成16年12月28日(2004.12.28)
【手続補正１】
【補正対象書類名】特許請求の範囲
【補正対象項目名】請求項１
【補正方法】変更
【補正の内容】
【請求項１】
始動口と、図柄表示装置と、制御部とを含むパチンコ機であって、
前記図柄表示装置は、図柄を複数の表示領域にわたって横方向に移動表示し得る流れ図柄表示領域と該流れ図柄表示領域に連続する表示領域であって前記流れ図柄表示領域に移動表示される図柄よりも大きな図柄を表示し得るように前記流れ図柄表示領域の大きさよりも大きく形成された組合せ図柄表示領域とを含み、
前記制御部は、前記流れ図柄表示領域と組合せ図柄表示領域に表示される図柄を同一の図柄データを用いて変動表示制御する図柄変動表示制御手段を含み、
前記図柄変動表示制御手段は、前記始動口への入賞に応じて、前記流れ図柄表示領域の複数の表示領域から前記組合せ図柄表示領域に図柄が流れるように同一の図柄データを順次送信することを特徴とするパチンコ機。
【手続補正２】
【補正対象書類名】明細書
【補正対象項目名】発明の名称
【補正方法】変更
【補正の内容】
【発明の名称】パチンコ機。
【手続補正３】
【補正対象書類名】明細書
【補正対象項目名】０００４
【補正方法】変更
【補正の内容】
【０００４】
本発明は、始動口と、図柄表示装置と、制御部とを含むパチンコ機であって、前記図柄表示装置は、図柄を複数の表示領域にわたって横方向に移動表示し得る流れ図柄表示領域と該流れ図柄表示領域に連続する表示領域であって前記流れ図柄表示領域に移動表示される図柄よりも大きな図柄を表示し得るように前記流れ図柄表示領域の大きさよりも大きく形成された組合せ図柄表示領域とを含み、前記制御部は、前記流れ図柄表示領域と組合せ図柄表示領域に表示される図柄を同一の図柄データを用いて変動表示制御する図柄変動表示制御手段を含み、前記図柄変動表示制御手段は、前記始動口への入賞に応じて、前記流れ図柄表示領域の複数の表示領域から前記組合せ図柄表示領域に図柄が流れるように同一の図柄データを順次送信することを特徴とする。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
流れ図柄表示領域から組合せ図柄表示領域へ向けて流れ表示される過程において、同じ図柄データが送信されることにより流れ図柄表示領域で表示される図柄全体の大きさよりも組合せ図柄表示領域で表示される図柄全体の大きさを大きく表示することができる。
【手続補正６】
【補正対象書類名】明細書
【補正対象項目名】００３８
【補正方法】変更
【補正の内容】
【００３８】
図柄表示体列８０は遊技球が各始動口５６内へ落入したときに図柄の変動表示を開始するように設定され、本例では９個のドットマトリックス図柄表示体７７のうち、左端から４個目までの４個のドットマトリックス図柄表示体７７を１組とする４個１組のドットマトリックス図柄表示体７７が左特別図柄を左方から右方へ順に流れ表示し、中央部の３個のドットマトリックス図柄表示体７７のうちの中央部のドットマトリックス図柄表示体７７が中特別図柄を上方から下方へ１個づつ順に流れ表示し、右端から４個目までの４個のドットマトリックス図柄表示体７７を１組とする４個１組のドットマトリックス図柄表示体７７が右特別図柄を右方から左方へ順に流れ表示するように設定され、各ドットマトリックス図柄表示体７７は０，１，２，３，４，５，６，７，８，９，Ｌ，Ｕ，Ｃ，Ｋ，Ｙの１５種類の図柄をそれぞれ変動表示する。
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
多機能可般型噴霧装置であって、
フィルターを備えた大水量注入口及び、フィルターを備えた小水量注入口を有し、排水口に二層のフィルターを設けると共に、溢出するのを防止する浮動弁を備えた貯水タンクと、
前記貯水タンクと接続されて、混合剤を前記貯水タンクに供給、或いは供給しないよう切り替え可能な混合剤タンクと、
前記貯水タンクの排水口に接続され、排水口側に高圧パイプフィルターを設けた、水或いは混合液を加圧する高圧ポンプと、
前記高圧ポンプに動力を供給する動力源と、
前記高圧パイプフィルターを介して高圧パイプと前記高圧ポンプを接続し、前端には簡易コネクタを設け、ノズルの交換を容易とした複数の手持高圧射水銃と、
前記手持高圧射水銃を収容する複数の高圧射水銃保管箱と、
パイプホースを巻取り収容するパイプローラー及びハンドルと、
前記ノズルが一つ或いはそれ以上のノズルからなることにより噴霧量を増加し、正前方と側方に噴霧し、異なる形態に噴霧可能とすると共に、末端にフィルターを設けている複数の可変ノズルと、
前記ノズルを収容する複数のノズル保管箱と、
前記電源の騒音を防ぐ防音カバーと、
前記貯水タンク、前記混合剤タンク、前記動力源、前記高圧ポンプ、前記高圧射水銃、前記高圧射水銃保管箱、前記ノズル、前記ノズル保管箱、前記パイプ、前記ローラー、等を搭載し、前輪、後輪、取っ手、係合環を備えて、前記装置の押し引き可能としたカートと、
からなることを特徴とする多機能可般型噴霧装置。
【請求項２】
前記貯水タンクの容量は、３０〜８０リットルであることを特徴とする請求項１に記載の多機能可般型噴霧装置。  
【請求項３】
前記混合液タンクの容量は、１０リットル以下であることを特徴とする請求項１に記載の多機能可般型噴霧装置。
【請求項４】
前記高圧ポンプは、８０〜１５０バール（bar）の高圧で、毎分５〜２０リットルの水をノズルに供給することを特徴とする請求項１に記載の多機能可般型噴霧装置。
【請求項５】
前記動力源は小型ガソリンエンジン、又はモーターのいずれかであることを特徴とする請求項１に記載の多機能可般型噴霧装置。
【請求項６】
前記小型ガソリンエンジンは、手動で起動することを特徴とする請求項５に記載の多機能可般型噴霧装置。  
【請求項７】
前記小型ガソリンエンジンは、バッテリー電子スタータにより起動することを特徴とする請求項５に記載の多機能可般型噴霧装置。
【請求項８】
前記小型ガソリンエンジンは、手動、或いは電子スタータにより起動することを特徴とする請求項５に記載の多機能可般型噴霧装置。
【請求項９】
前記混合液は泡式消火剤、洗浄剤、消火液、除虫剤、環境保護の微生物表面活性剤のいずれかであることを特徴とする請求項１に記載の多機能可般型噴霧装置。
【請求項１０】
前記手持高圧射水銃は１〜４、又は３〜５のいずれかであることを特徴とする請求項１に記載の多機能可般型噴霧装置。
【請求項１１】
各可変ノズルは二つのノズルがあり、一つは正前方に噴霧、もう一つは角度βで噴霧し、角度βは１５〜６０度で、好ましくは４５度であることを特徴とする請求項１に記載の多機能可般型噴霧装置。  
【請求項１２】
各可変ノズルは三つのノズルがあり、中央のノズルは正前方に、それ以外の二つは、前記中央ノズルから間隔ｄ離れた角度βで噴霧し、間隔ｄは3〜１０センチ、角度βは１５〜６０度で、好ましくは４５度であることを特徴とする請求項１に記載の多機能可般型噴霧装置。
【請求項１３】
前記カートの取っ手は、後方に３０〜６０度傾斜していることを特徴とする請求項１に記載の多機能可般型噴霧装置。
【請求項１４】
前記カートは車、バイク、トラクター、人力のいずれかにより牽引されることを特徴とする請求項１に記載の多機能可般型噴霧装置。
【手続補正書】
【提出日】平成17年6月21日(2005.6.21)
【手続補正１】
【補正対象書類名】明細書
【補正対象項目名】０１３０
【補正方法】変更
【補正の内容】
【０１３０】
また、上記細胞検体として造血器細胞をはじめとする細胞増殖性疾患を含む細胞検体（造血細胞を含む細胞検体）を用いる場合、造血器腫瘍および固形腫瘍またはそれらの造血器腫瘍の発症可能性を判定することができる。すなわち、被験者の抹消血を極微量採血し、当該抹消血を用いて、メチル化ＤＮＡ検出方法またはメチル化ＤＮＡ検出キットを用いることにより、簡便かつ迅速に造血器腫瘍および固形腫瘍またはそれらの造血器腫瘍の発症可能性を判定することができる。
【手続補正２】
【補正対象書類名】明細書
【補正対象項目名】０１５７
【補正方法】変更
【補正の内容】
【０１５７】
（３）尿素溶解液
組成：6M Urea (pH11)
上記組成の尿素溶解液をこの反応系で使用する。上記細胞希釈液２５μｌに対して、上記組成の尿素溶解液２５μｌを加えた系を反応系とし、１００℃で１０分間加熱した（細胞検体溶解液）。したがって、この細胞検体溶解液に含まれる尿素の最終濃度は３Ｍである。
【手続補正書】
【提出日】平成16年12月10日(2004.12.10)
【手続補正１】
【補正対象書類名】特許請求の範囲
【補正対象項目名】請求項１
【補正方法】変更
【補正の内容】
【請求項１】
中棒の石突き側に固定された上ろくろに親骨の一端が連結され、親骨の中間部に受骨の一端が連結されるとともに、中棒に外嵌された下ろくろに受骨の他端が連結されてなり、中棒に外嵌された下ろくろを中棒の軸方向にスライドさせることにより傘布が開閉されるとともに、中棒に設けられた上ハジキあるいは下ハジキに下ろくろが係止されることにより、開傘状態、閉傘状態のそれぞれに固定される傘において、
下ろくろには、引き下げ紐が取り付けられた保護筒が外嵌されており、
上ハジキと下ハジキはそれぞれ、中棒の軸方向に対して垂直方向に突出した山状の板版であり、それぞれのハジキの石突き側の辺と手元側の辺は、中棒の軸方向に対しともに鋭角をなしているが、上ハジキにおいては手元側の辺の角度が石突き側の辺の角度より小さく、下ハジキにおいては石突き側の辺の角度が手元側の辺の角度より小さく形成されており、
開傘状態から傘を閉じるときには、引き下げ紐を中棒の手元方向に引っ張ることにより、下ろくろを手元方向にスライドさせて、閉傘状態にすることができ、
閉傘状態から傘を開くときには、保護筒を中棒の石突き方向に押すことにより、下ろくろを石突き方向にスライドさせて、開傘状態にすることができることを特徴とする傘。
【手続補正２】
【補正対象書類名】明細書
【補正対象項目名】０００９
【補正方法】変更
【補正の内容】
【０００９】
本発明の前記課題は、中棒の石突き側に固定された上ろくろに親骨の一端が連結され、親骨の中間部に受骨の一端が連結されるとともに、中棒に外嵌された下ろくろに受骨の他端が連結されてなり、中棒に外嵌された下ろくろを中棒の軸方向にスライドさせることにより傘布が開閉されるとともに、中棒に設けられた上ハジキあるいは下ハジキに下ろくろが係止されることにより、開傘状態、閉傘状態のそれぞれに固定される傘において、
下ろくろには、引き下げ紐が取り付けられた保護筒が外嵌されており、
上ハジキと下ハジキはそれぞれ、中棒の軸方向に対して垂直方向に突出した山状の板版であり、それぞれのハジキの石突き側の辺と手元側の辺は、中棒の軸方向に対しともに鋭角をなしているが、上ハジキにおいては手元側の辺の角度が石突き側の辺の角度より小さく、下ハジキにおいては石突き側の辺の角度が手元側の辺の角度より小さく形成されており、
開傘状態から傘を閉じるときには、引き下げ紐を中棒の手元方向に引っ張ることにより、下ろくろを手元方向にスライドさせて、閉傘状態にすることができ、
閉傘状態から傘を開くときには、保護筒を中棒の石突き方向に押すことにより、下ろくろを石突き方向にスライドさせて、開傘状態にすることができることを特徴とする傘により解決される。